(57)【要約】【課題】洗浄水流の飛び散りを防止することができる水洗便器を提供する。【解決手段】洗浄水を吐出させる吐出口を有する水洗便器において、吐出口から吐出される洗浄水より上に散水口を備え、該散水口から吐出する水によって洗浄水の上方を覆う水膜を形成する。【選択図】図３Ａ
2010229738.tif 000002
【特許請求の範囲】
【請求項１】
洗浄水を吐出させる吐出口を有する水洗便器において、前記吐出口から吐出される洗浄水より上に散水口を備え、該散水口から吐出する水によって前記洗浄水の上方を覆う水膜を形成することを特徴とする水洗便器。
【請求項２】
前記散水口は、前記便器のリム部のリム内周側壁に設けられている請求項１記載の水洗便器。
【請求項３】
前記散水口をスリット形状にした請求項１又は２に記載の水洗便器
【請求項４】
前記散水口に繋がる散水通水路を前記散水口に向かって長手方向に拡がるように形成した請求項３に記載の水洗便器。
【請求項５】
前記散水口を複数設けた請求項１〜４のうちのいずれか１つに記載の水洗便器。
【請求項６】
前記散水口から吐出した水による水膜が前記便器の内周側壁に沿って形成される請求項５記載の水洗便器。
【請求項７】
前記散水口を前記便器の対称軸に対して対称に配置した請求項５又は６に記載の水洗便器。
【請求項８】
前記複数の散水口のうちの少なくとも２つの散水口は、その長手方向の中心軸が互いに平行になりかつ互いに一致しないように水平方向に対して傾斜して設けられている請求項５〜７のうちのいずれか１つに記載の水洗便器。
【請求項９】
前記散水口を上下方向にずらして配置した請求項５〜８のうちのいずれか１つに記載の水洗便器。
【請求項１０】
前記便器のリム部に通水路が形成されて前記散水口はそれぞれ散水通水路を介して前記散水口に繋がっている請求項５〜９のうちのいずれか１つに記載の水洗便器。
【請求項１１】
前記散水口はそれぞれ、前記給水路に水が供給される給水口から離れるにしたがって開口面積が大きくなっている請求項１０記載の水洗便器。
【請求項１２】
前記リム部が樹脂からなる請求項１〜１１のうちのいずれか１つに記載の水洗便器。
【請求項１３】
前記便器のボウル部の内周面と前記リム部の内周面とが段差なく連続して繋がっている請求項１〜１２のうちのいずれか１つに記載の水洗便器。
【請求項１４】
前記便器のボウル部の内周面において、前記リム部との境界に沿って形成された内周面の面方向が前記リム部の内周面の面方向に対して６０度以下である請求項１３記載の水洗便器。
【請求項１５】
前記便器のボウル部の内周面と前記リム部の内周面との境界部で面方向が連続的に変化する請求項１〜１２のうちのいずれか１つに記載の水洗便器。
【発明の詳細な説明】
【技術分野】
【０００１】
本発明は、水洗便器に関する。
【背景技術】
【０００２】
従来、水洗便器では、例えば、ボール部上端周縁に位置するリム部（着座部）を中空形状としてこの中空部を洗浄水通水路とし、このリム部の裏側に設けたリム吐水孔からボール面に洗浄水を吐水して便器を洗浄している。一般にこのリム部は、ボール部の内壁より内側に張り出しており、これにより汚水の飛び散りを防いでいた。しかしながら、この張り出したリム部だけでは洗浄水流の飛び散りを十分防止することが困難であった。
また、リム部が内側に張り出しているので、リム部の裏側、特にリム吐水孔周辺の掃除がしにくいという問題があった。
そこで、リム吐水孔をリム部の内周側壁下端に設けて、使用者がリム吐水孔並びにその周辺を容易に視認できるようにした構造が提案されている（例えば、特許文献１）。
【先行技術文献】
【特許文献】
【０００３】
【特許文献１】特開２００１−２７９７８９号公報
【発明の概要】
【発明が解決しようとする課題】
【０００４】
しかしながら、特許文献１の構成では、掃除は容易になるものの洗浄水流の飛び散りを防止することが困難であるという問題があった。
【０００５】
そこで、本発明は洗浄水流の飛び散りを防止することができる水洗便器を提供することを目的とする。
【課題を解決するための手段】
【０００６】
以上の目的を達成するために、本発明に係る水洗便器は、洗浄水を吐出させる吐出口を有する水洗便器において、前記吐出口から吐出される洗浄水より上に散水口を備え、該散水口から吐出する水によって前記洗浄水の上方を覆う水膜を形成することを特徴とする。
【０００７】
本発明に係る水洗便器において、前記散水口は、前記便器のリム部のリム内周側壁に設けられていてもよい。
【０００８】
本発明に係る水洗便器において、前記散水口をスリット形状にすることが好ましい。
【０００９】
本発明に係る水洗便器において、前記散水口に繋がる散水通水路を前記散水口に向かって長手方向に拡がるように形成することが好ましい。
【００１０】
本発明に係る水洗便器において、前記散水口を複数設けることもできる。
【００１１】
本発明に係る水洗便器において、前記散水口から吐出した水による水膜が前記便器の内周側壁に沿って形成されるようにしてもよい。
【００１２】
本発明に係る水洗便器において、前記散水口を前記便器の対称軸に対して対称に配置してもよい。
【００１３】
本発明に係る水洗便器において、前記複数の散水口のうちの少なくとも２つの散水口は、その長手方向の中心軸が互いに平行になりかつ互いに一致しないように水平方向に対して傾斜して設けられていることが好ましい。
【００１４】
本発明に係る水洗便器において、前記散水口を上下方向にずらして配置することが好ましい。
【００１５】
本発明に係る水洗便器において、前記便器のリム部に通水路が形成されて前記散水口はそれぞれ散水通水路を介して前記散水口に繋がっていてもよい。
【００１６】
本発明に係る水洗便器において、前記散水口はそれぞれ、前記給水路に水が供給される給水口から離れるにしたがって開口面積が大きくなっていることが好ましい。
【００１７】
本発明に係る水洗便器において、前記リム部は樹脂からなっていてもよい。
【００１８】
本発明に係る水洗便器において、前記便器のボウル部の内周面と前記リム部の内周面とが段差なく連続して繋がっていることが好ましい。
【００１９】
本発明に係る水洗便器において、前記便器のボウル部の内周面において、前記リム部との境界に沿って形成された内周面の面方向が前記リム部の内周面の面方向に対して６０度以下であることが好ましい。
【００２０】
前記便器のボウル部の内周面と前記リム部の内周面との境界部で面方向が連続的に変化することが好ましい。
【発明の効果】
【００２１】
以上のように構成された本発明に係る水洗便器は、前記吐出口から吐出される洗浄水より上に散水口を備え、該散水口から吐出する水によって前記洗浄水の上方を覆う水膜を形成しているので、洗浄水流の飛び散りを防止することができる。
【図面の簡単な説明】
【００２２】
【図１】本発明に係る一実施形態の水洗便器の構成を示す分解斜視図である。
【図２】図１に示す水洗便器の断面図である。
【図３Ａ】本発明に係る実施形態１の水洗便器の構成を示す斜視図である。
【図３Ｂ】散水口５とその散水口５に繋がる散水通水路５１と散水通水路５１に配管された通水管５６とを模式的に示す斜視図である。
【図４Ａ】本発明に係る実施形態２の水洗便器の構成を示す斜視図である。
【図４Ｂ】図４Ａの一部を拡大して示す斜視図である。
【図５】本発明に係る実施形態３の水洗便器の一部を拡大して示す斜視図である。
【図６Ａ】本発明に係る実施形態４の水洗便器の構成を示す断面図である。
【図６Ｂ】図６ＡのＡ部を拡大して示す断面斜視図である。
【図７】実施形態４の水洗便器の構成を模式的に示す断面図である。
【図８】本発明に係る実施形態５の水洗便器の構成を示す斜視図である。
【発明を実施するための形態】
【００２３】
以下、図面を参照しながら本発明に係る実施形態の水洗便器について説明する。
上述したように、本発明に係る水洗便器は、洗浄水を吐出させる吐出口に加えさらに、散水口を備えている点が従来の水洗便器とは異なっており、その散水口から吐出する水によって洗浄水の上方を覆う水膜を形成して洗浄水の飛び散りを防止している。
【００２４】
散水口の具体的形態について説明する前にまず水洗便器の全体構成について説明する。
以下の全体構成の説明では、構成の把握を容易にするために、ボウル部１とスカート部２とリム部３からなる分割体を用いた水洗便器について説明する。しかしながら、本発明はこの分割構造に限定されるものではなく、一体で作製された水洗便器に適用するが可能であることは言うまでもない。
また、実施形態の説明では樹脂製の水洗便器について説明することもあるが、本発明は樹脂製の水洗便器に限定されるものではなく、陶器製等の他の材質の水洗便器に適用することもできる。
【００２５】
＜水洗便器の全体構成＞
図１は、ボウル部１とスカート部２とリム部３からなる水洗便器の構成を示す分解斜視図である。また、図２は、ボウル部１とスカート部２とリム部３が組み合わされた水洗便器の断面図である。
図１に示す水洗便器において、ボウル部１は、下方に向かって開口径が徐々に小さくなっており、上方に洗浄水を供給する洗浄水供給口１ａとそれに繋がる洗浄水流路を有し、下端に排水管部１ｂを有する。このボウル部１において、洗浄水供給口１ａから供給された洗浄水は、洗浄水流路端の吐出口から吐出されてボウル部１の内壁を洗浄する。洗浄水は上から下に落とし込むように流すようにしてもよいし、渦巻き状に流れるようにしても良い。また、洗浄水を渦巻き状に流す場合、ボウル部１の内壁に洗浄水を渦巻き状に導く螺旋状の溝を形成してもよい。
【００２６】
スカート部２は、ボウル部１を所定の高さ及び位置に保持し、便器全体の強度を強化するものである。このスカート部２には、より強度を高めるために必要に応じ適宜補強リブを設けるようにしてもよい。また、スカート部２の内部には、ボウル部１の洗浄水供給口１ａに繋がる給水管及び排水管部１ｂに接続される排水管を取り付けるスペースが確保される。図１において、２ａの符号を付して示す部分はボウル収納部であり、２ｂの符号を付して示す部分は給排水管収納部である。
【００２７】
リム部３は、ボウル部１の上端部に接合される環状部３ａとスカート部２の給排水管収納部２ｂ上に取り付けられる固定部３ｂとが一体で成型されてなる。このリム部３の環状部３ａは、便器の上縁面となるリム上面壁と便器の内壁の上部を構成するリム内周側壁とリム上面に対向するリム裏面壁とに囲まれて構成される環状溝を有する。この環状溝によって、環状部３ａとボウル部１とが組み合わされたときに流水路が構成される。尚、洗浄水の給排水構造及び水膜形成用の給排水構造によっては、この流水路は形成する必要がないこともある。
【００２８】
ここで、ボウル部１とスカート部２とリム部３は、例えば、合成樹脂を用いて射出成形等により作製することができ、合成樹脂製のボウル部１、スカート部２、リム部３は溶着により水漏れがないように一体化できる。
【００２９】
以下、本発明に係る種々の実施形態について詳細に説明する。
＜実施形態１＞
図３Ａは、本発明に係る実施形態１の水洗便器の構成を示す斜視図である。
この実施形態１の水洗便器は、リム部３のリム内周側壁３１において後部中央に散水口５を有している。この散水口５は、洗浄水を吐出させるためにリム部の下に設けられている吐出口４より高い位置に設けられている。このように構成された実施形態１の水洗便器において、例えば、吐出口４から洗浄水を吐出させる際に散水口５から水を吐出させると、その散水口５から吐出された水によって洗浄水流の上に水膜が形成される。これにより、洗浄水流の飛び散りが水膜によって遮断されて水膜より上への汚水の飛び散りが防止できる。
【００３０】
図３Ｂは、散水口５とその散水口５に繋がる散水通水路５１と散水通水路５１に配管された通水管５６とを模式的に示す斜視図である。この実施形態１の水洗便器では、この図３Ｂに示すように、一方の開口部を散水口５とし他方の開口部を給水口５５とする散水通水路５１がリム部３を貫通するように形成されて、その散水通水路５１は給水口５５から離れるにしたがって横幅Ｌが大きくなり、縦幅Ｗが小さくなっている。
このように、本発明において、散水通水路５１を給水口５５から離れるにしたがって横幅Ｌが大きくなるように形成することが好ましく、このようにすると、水膜をより広げて形成することが可能であり、より効果的に洗浄水の飛び散りを防止できる。
ここで、本明細書において、横とは水洗便器が設置されたときの水平方向をいい、縦とは水洗便器が設置されたときの垂直方向をいう。
【００３１】
尚、この図３Ａ及び図３Ｂに示す実施形態１の構成では、図１及び図２を用いて説明した流水路は形成する必要がない。
しかしながら、図３Ａに示す水洗便器において、流水路を形成して吐出口４に代えてリム裏面に吐出口を形成するようにしてもよい。
【００３２】
＜実施形態２＞
図４Ａは、本発明に係る実施形態２の水洗便器の構成を示す斜視図である。
この実施形態２の水洗便器では、流水路５７を水膜形成のために利用して散水口５を複数形成している。このように、散水口５を複数形成すると、例えば、洗浄水の飛び散りが比較的激しい部分に重点的に水膜を形成するなど、水膜を必要な形状に形成することが可能になる（水膜形状の制御が容易）。
【００３３】
具体的には、本実施形態２の水洗便器では、流水路５７に通じる散水通水路をリブ部３のリム内周側壁３１に複数形成してそれぞれの開口部を散水口５としている。
尚、図４Ａ，図４Ｂにおいて、散水口には符号５（１）、５（２）、５（３）・・・５（ｎ）というように括弧付きで示しているが、位置による区別が特に必要のない場合には、本明細書においては括弧及び括弧内の数字又はｎを省略して記述する。以下、他の図面に関しても同様とする。
尚、図４Ｂにおいて、４０の符号を付して示すものは洗浄水流であり、６０の符号は洗浄水の飛び散りを示している。他の図面についても同様である。
【００３４】
また、実施形態２の水洗便器では、リム内周側壁３１の後部中央に散水口５（１）を形成して、その散水口５（１）を中心として左右対称に散水口５（２）、５（３）・・・を配置している。このように、散水口５を左右対称に配置すると、例えば、リム内周側壁３１に沿った水膜を左右対称に形成することが可能になる。
ここで、散水口５（１）の中心軸を便器の対称軸ともいう。
【００３５】
また、本実施形態２では、図４Ｂに示すように、隣接する散水口５（ｎ）及び散水口５（ｎ＋１）の高さを変えることにより、複数の散水口５を互い違いに配置している。
すなわち、本実施形態２では、複数の散水口５が隣接間において、その長手方向の中心軸が互いに平行になりかつ互いに一致しないように水平方向に対して傾斜して設けられている。このように、長手方向の中心軸が一致しないように複数の散水口５を配置すると各散水口５から散水により形成される水膜がぶつかり合わないように形成することが容易になる。ここで、「長手方向の中心軸が一致しない」とは、長手方向の中心軸が１つの直線上にないことを意味する。
【００３６】
尚、本実施形態２では、隣接する散水口５間において全て高さ変化させたが、本発明はこれに限られるものではなく、少なくとも１組の隣接する散水口５間において高さ変えるようにすればよい。すなわち、本発明では、散水口５から散水により形成される水膜が最もぶつかり易い隣接間において散水口５の高さ異ならせればよい。
【００３７】
＜実施形態３＞
図５は、本発明に係る実施形態３の水洗便器の構成を示す斜視図（一部を拡大して示す斜視図）である。
この実施形態３の水洗便器は、複数の散水口５を互いに平行でかつ傾斜させて形成している点が実施形態２とは異なっている。
ここで、傾斜とは、水洗便器を設置したときに、散水口５の長手方向が水平方向から傾むいていることをいう。
【００３８】
このように、複数の散水口５を互いに平行でかつ傾斜させて形成すると、水膜を互いにぶつかることなく、重なるように形成することが可能になり、より効果的に洗浄水の飛び散りを防止できる。
【００３９】
尚、図５では、中央部に設けられた散水口５の片側（左側又は右側の一方）に位置する複数の散水口５について互いに平行に傾斜させた図を示しているが、本発明では、両側の全ての散水口５を平行に傾斜させて形成しても良いし、片側のグループ内において平行を確保してグループ間では非平行になるようにしてもよい。
【００４０】
＜実施形態４＞
図６Ａは、本発明に係る実施形態４の水洗便器の構成を示す断面図である。また、図６Ｂは、図６ＡのＡ部を拡大して示す斜視図である。
この実施形態４の水洗便器は、リム部３とボウル部１の境界部分に段差がない点が特徴であり、これにより、便器内壁の掃除が容易になる。すなわち、本発明に係る水洗便器では、散水口５を設けて洗浄水を覆う水膜が形成できるので、リム部３の内側への張り出しがない場合であっても、洗浄水の飛び散りを防止できる。
尚、本明細書において、リム部３とボウル部１の境界部分に段差がないとは、以下の変形例で説明する形態も含む概念である。
【００４１】
ここで、図６Ａ及び図６Ｂでは、リム内周側壁の面方向と、ボウル部の内周側壁においてリム部との境界に沿って形成された内周面の面方向とが同一方向を向いている。すなわち、図６Ｂに示すように、リム内周側壁とボウル部の内周側壁におけるリム部との境界に沿って形成された内周面とが同一面を構成する。したがって、本実施形態４の水洗便器は、リム部３とボウル部１の境界部分に段差がなく、かつリム部３の直下のボウル部１に窪みが無いので、便器内壁の掃除がきわめて容易となる。
しかしながら、本発明はリム部３の直下のボウル部１に窪みが無いものに限定されるものではなく、以下の変形例で説明するような構成であってもよい。
【００４２】
＜実施形態４の変形例＞
上述したように、本発明は、散水口５を設けて水膜を形成することにより、洗浄水の飛び散りを防止している。したがって、本発明によればリム部３に洗浄水の飛び散りを防止機能を持たせる必要はなく、掃除のし易さを考えて比較的自由にリム部３とボウル部１の境界部分の構造を選択できる。
【００４３】
例えば、図７に示すように、リム部３のリム内周面３１ａとボウル部１の内周面１１ａの境界が滑らかな曲面となるように形成して、かつリム部３の直下のボウル部１に窪みが小さくなるように形成しても、リム部３の直下の掃除を容易にできかつ洗浄水の飛び散りを防止できる。
ここで、滑らかな曲面とは、面方向（図７に示すように面に直交する方向）が境界を挟んで連続的に変化することをいう。
また、リム部３の直下のボウル部１の窪みを小さくするためには、リム内周面３１ａの面方向とボウル部の内周側壁におけるリム部との境界に沿って形成された内周面１１ａの面方向の成す角度θを、例えば、６０度以下に設定すればよく、好ましくは４５度以下に設定する。
【００４４】
また、面方向が境界を挟んで不連続に変化するような場合であっても、例えば、リム内周面３１ａの面方向とボウル部の内周側壁におけるリム部との境界に沿って形成された内周面１１ａの面方向の成す角度θが６０度以下、好ましくは４５度以下に設定すると、洗浄水の飛び散りを防止してさらに便器内壁の掃除を容易にすることができる。
【００４５】
＜実施形態５＞
図８は、本発明に係る実施形態５の水洗便器の構成を示す斜視図である。
本実施形態５の水洗便器は、散水口５から吐出した水による水膜が便器の内周側壁に沿って形成されるように、散水口５が形成されている点が特徴である。
このように構成すると、洗浄水の上を効率よく覆う水膜の形成が可能になる。
ここで、水膜が便器の内周側壁に沿って形成されるとは、散水口から吐出される水の吐出方向の中心軸が、散水口が形成されている面に直交する方向の成分と散水口が形成されている面に平行な方向の成分とを持っていることをいう。
【００４６】
以上、本発明に係る実施形態について説明したが、本発明ではさらに種々の変形が可能である。
例えば、水膜を形成する水を回収する回収口を設けて水膜形成水を再利用するようにしてもよい。
【００４７】
また、流水路５７を上下２段に分けて、上段の流水路に繋がる散水口を形成し、下段の流水路に繋がる洗浄水吐出口を設けるようにしてもよい。
このようにすると、例えば、図３Ａに示す水洗便器において、リム裏面３２に吐出口を形成することが可能になる。
【００４８】
また、流水路５７を用いて散水口５を複数設ける場合、流水路５７に水を供給する給水口から離れた散水口５ほど断面積が大きくなるように形成することが好ましい。このようにすると、給水口から離れた散水口５から、給水口に近い散水口５から吐出される水と同程度の勢いで水を吐出させることが可能になる。
【符号の説明】
【００４９】
１  ボウル部、１ａ  洗浄水供給口、１ｂ  排水管部、２  スカート部、２ａ  ボウル収納部、２ｂ  給排水管収納部、３  リム部、３ａ  環状部、３ｂ  固定部、４  吐出口、５  散水口、３１  リム内周側壁、５１  散水通水路、５５  給水口、５６  通水管、５７  流水路。
【図１】
2010229738.tif 000003
【図２】
2010229738.tif 000004
【図３Ａ】
2010229738.tif 000005
【図３Ｂ】
2010229738.tif 000006
【図４Ａ】
2010229738.tif 000007
【図４Ｂ】
2010229738.tif 000008
【図５】
2010229738.tif 000009
【図６Ａ】
2010229738.tif 000010
【図６Ｂ】
2010229738.tif 000011
【図７】
2010229738.tif 000012
【図８】
2010229738.tif 000013